(57)【要約】【課題】  複数枚のパンチングボードを、必要数用いて、該パンチングボードの通孔を利用して止め金具で該ボードを固定して、必要な家具を組み立て、かつ、別の家具にも組立可能な組立家具を、子供の発想により、また、大人と子供の融和が図れる組立家具を開発・提供する。【解決手段】  矩形の板材で、縦・横に無数の通孔２を穿設したパンチングボード１であって、該パンチングボードの表裏両面を化粧仕上げし、かつ、各端面３を、中央面Ａを残して、両側を４５°の傾斜面Ｂ，Ｂ′に設け、これら複数の該ボードを設け、Ｌ字状の２点止め金具４と、略Ｌ字状の板材の両端部付近を折り曲げて形成した３点止め金具５を用い、２枚、あるいは３枚のパンチングボードを、それぞれの傾斜面Ｂを接合して縦・横方向に重ね合わせて、各ボードの通孔を利用して、Ｌ字状の２点、３点止め金具４、５を介してボルト等の連結具６で固定して、家具に組み立てることを特徴とする。【選択図】        図３
0003117060.tif 000002
【実用新案登録請求の範囲】
【請求項１】
所定の厚みを有する矩形の板材で、縦・横に無数の通孔（２）を穿設したパンチングボード（１）であって、該パンチングボードの表裏両面を化粧仕上げし、かつ、各端面（３）を、中央面（Ａ）を残して、両側を４５°の傾斜面（Ｂ，Ｂ′）に設け、これら複数の該ボード（１）を設け、Ｌ字状の２点止め金具（４）と、略Ｌ字状の板材の両端部付近を折り曲げて形成した３点止め金具（５）を用い、２枚のパンチングボード（１）を、それぞれの傾斜面（Ｂ）を接合して縦・横方向に重ね合わせて、各ボード（１）（１）の通孔（２）を利用して、Ｌ字状の２点止め金具（４）を介してボルト等の連結具（６）で固定するか、あるいは、３枚のパンチングボード（１）を、それぞれの傾斜面（Ｂ）を接合して縦・横・後方向に重ね合わせて、各ボード（１）（１）（１）の通孔（２）を利用して、Ｌ字状の３点止め金具（５）を介してビス等の連結具（６）で固定して、家具に組み立てることを特徴とする組立家具。
【考案の詳細な説明】
【技術分野】
【０００１】
この考案は、組立家具に関するものである。
【背景技術】
【０００２】
従来、組立家具といえば、各パーツを、ダボとダボ孔とで組み立てて家具にするキット式のものは、存在した。
【０００３】
しかし、この組立家具は、搬送時の便利さ（コンパクトさ）のみを追求したものにすぎず、そのパーツ通りに組立るものにすぎず、それ以外の組立方法は考えられなかった。
【０００４】
近年、木製のパンチングボードは、素材としても若者に人気があり、家屋（デスク）の一部壁面に装着して、その孔を利用して、金属で形成したフックで係止して、文房具を掛けて使用するものは存在している。例えば、特許文献１のように。
【特許文献１】特開２００２−６５３６４号公報
【考案の開示】
【考案が解決しようとする課題】
【０００５】
そこで、この考案は、複数枚のパンチングボードを、必要数用いて、該パンチングボードの通孔を利用して止め金具で該ボードを固定して、必要な家具を組み立て、かつ、別の家具にも組立可能な組立家具を、子供の発想により、また、大人と子供の融和が図れる組立家具を開発・提供することにある。
【課題を解決するための手段】
【０００６】
そして、この考案は、若者に人気のある素材のパンチングボードを使用し、かつ、該ボードの規則正しく設けられた通孔を利用して、止め金具とボルト等の連結具で固定して家具を組み立てようとするものである。
【考案の効果】
【０００７】
この考案によると、複数枚のパンチングボードを用い、これらボードの各傾斜面どうしを当接した状態で、該パンチングボードの通孔を利用して止め金具とボルト等の連結具とで該ボードを固定して、また、他方の傾斜面を利用して他のボードとも接続することにより、縦・横方向に接続して、必要な家具を簡単に組み立てることにより、かつ、別の家具にも組み立て変更することができ、子供の発想により、また、大人と子供の融合が図れ、ボックス、デスク、シェルフ等の家具類を組立ることが出来る極めて有益なる効果を奏する。
【考案を実施するための最良の形態】
【０００８】
この考案の一実施例を図面により詳述すると、所定の厚みを有する矩形の板材で、縦・横に無数の通孔（２）を穿設したパンチングボード（１）であって、該パンチングボードの表裏両面を化粧仕上げし、かつ、各端面（３）を、中央面（Ａ）を残して、両側を４５°の傾斜面（Ｂ，Ｂ′）に設け、これら複数の該ボード（１）を設け、略Ｌ字状の板材の両端部付近を折り曲げて形成した３点止め金具（５）を用い、２枚のパンチングボード（１）を、それぞれの傾斜面（Ｂ）を接合して縦・横方向に重ね合わせて、各ボード（１）（１）の通孔（２）を利用して、Ｌ字状の２点止め金具（４）を介してボルト等の連結具（６）で固定するか、あるいは、３枚のパンチングボード（１）を、それぞれの傾斜面（Ｂ）を接合して縦・横・後方向に重ね合わせて、各ボード（１）（１）（１）の通孔（２）を利用して、３点止め金具（５）を介してボルト等の連結具（６）で固定して、家具に組み立てることを特徴とする組立家具から構成される。
【０００９】
尚、パンチングボードの厚みの一例を述べると、厚みは１５ｍｍであり、そのうち、中央面（Ａ）は、７ｍｍであり、両端面はそれぞれ４ｍｍであり、これら両端面をそれぞれ外部に向け、４５°の傾斜面（Ｂ，Ｂ′）に形成したものである。しかし、この寸法に限定されるものではない。
【００１０】
そして、通孔（２）の縦・横の間隔の寸法の一例としては、１５ｍｍであり、これも、この寸法に限定されるものではない。
【００１１】
更に、Ｌ字状の２点止め金具（４）とは、その一例を示すと、図３（ｃ）に示す構造ものであり、また、Ｌ字状の３点止め金具（５）とは、その一例を示すと、図３（ｂ）に示す構造のものであり、さらに、ボルト等の連結具（６）とは、その一例を示すと、図３（ｄ）に示す構造のものである。
【００１２】
そして、図４は、この考案を実施して構成したデスクであり、（ａ）は正面図、（ｂ）は斜視図である。
【００１３】
さらに、図５は、この考案を実施して構成したラックであり、（ａ）は正面図、（ｂ）は斜視図である。
【産業上の利用可能性】
【００１４】
この考案は、パンチングボード、止め金具をそれぞれ製造することにより、組立家具の製造技術を確立し、かつ、実際に製造することにより、産業上の利用可能性を有する。
【図面の簡単な説明】
【００１５】
【図１】この考案の一実施例を示し、（ａ）は正面図であり、（ｂ）は側面図であり、（ｃ）は一部欠截拡大側面図である。
【図２】この考案のパンチングボードを使用した一実施例を示し、（ａ）は正面図、（ｂ）は一部欠截正面図、（ｃ）は一部欠截正面図である。
【図３】この考案のパンチングボードを使用した一実施例を示し、（ａ）は斜視図、（ｂ）は一部欠截斜視図、（ｃ）は一部欠截斜視図、（ｄ）は拡大斜視図である。
【図４】この考案の使用状態を示し、（ａ）は正面図、（ｂ）は斜視図である。
【図５】この考案の使用状態を示し、（ａ）は正面図、（ｂ）は斜視図である。
【符号の説明】
【００１６】
１  パンチングボード
２  通孔
３  端面
４  ２点止め金具
５  ３点止め金具
６  ボルト等の連結具
Ａ  中央面
Ｂ，Ｂ′  傾斜面
【図１】
0003117060.tif 000003
【図２】
0003117060.tif 000004
【図３】
0003117060.tif 000005
【図４】
0003117060.tif 000006
【図５】
0003117060.tif 000007